(57)【要約】【課題】決算期の途中月で、その後に特別な決算対策をしない場合における当期の法人の予測税金額と、決算対策をした場合の当期の法人の予測税金額とを比較して表示する決算予測シミュレーション書を提供する。【解決手段】、決算期の途中月ｘで、その後に特別な決算対策をしない場合における当期の法人の予測税金額を示す欄［ｆ５］，［ｍ１］と、決算対策をした場合の当期の法人の予測税金額を示す欄［ｋ５］，［ｍ２］とを１シートに表示する。【選択図】  図２
0003167611.tif 000002
【実用新案登録請求の範囲】
【請求項１】
決算対象の当期の指定された途中月までの実績の税引前当期利益の額が表示される途中税引前当期利益欄［ａ２１］と、
当期の残存期間の予測実績の税引前当期利益の額が表示される残存期間税引前当期利益欄［ａ４１］と、
決算整理額の加算額を表示する決算整理加算額欄［ｂ２７］と、
決算整理額の減算額を表示する決算整理減算額欄［ｃ２７］と、
税務上調整する加算額を表示する税務調整加算額欄［ｄ２６］と、
税務上調整する減算額を表示する税務調整減算額欄［ｅ２６］と、
課税対象額を表示する課税対象額欄［ｆ１］と、
前記課税対象額に基づいた対策前税金を表示する対策前税金欄［ｆ２］〜［ｆ５］と、
決算対策の額を表示する決算対策額欄［ｊ１］と、
前記決算対策額を考慮した対策後課税対象額を表示する対策後税金欄［ｋ１］と、
前記対策後課税対象額に基づいた対策後税金を表示する対策後税金欄［ｋ２］〜［ｋ５］と、
を有する決算予測シミュレーション書。
【請求項２】
前記決算対策欄［ｊ１］は、
決算対策に関する予め決められた複数の項目と、その項目に関する対策額を記入する対策額欄［ｇ１］〜［ｇ４４］を有し、
前記決算対策額欄［ｊ１］には、前記対策額欄［ｇ１］〜［ｇ４４］に記入された額の総額が表示されている
請求項１に記載の決算予測シミュレーション書。
【請求項３】
当期の指定された途中月までの実績の売上高、売上原価、売上総利益、販売管理費（販売費及び一般管理費）、営業利益、営業外収入、営業外費用、経常利益、特別利益、特別損失の額がそれぞれ表示される欄［ａ１１］〜［ａ２０］と、
当期の残存期間の予測実績の売上高、売上原価、売上総利益、販売管理費（販売費及び一般管理費）、営業利益、営業外収入、営業外費用、経常利益、特別利益、特別損失の額がそれぞれ表示される欄［ａ３１］〜［ａ４０］と、
当当期の指定された途中月までの実績と、当期の残存期間の予測実績との合計の売上高、売上原価、売上総利益、販売管理費（販売費及び一般管理費）、営業利益、営業外収入、営業外費用、経常利益、特別利益、特別損失の額がそれぞれ表示される欄［ａ５１］〜［ａ６０］と、
当期の指定された途中月までの実績と、当期の残存期間の予測実績との合計の税引き前当期利益の額が表示される税引前当期利益欄［ａ６１］と、
前記対策前税金と前記対策後税金の差額を表示する欄［ｍ３］と
を有する請求項２に記載の決算予測シミュレーション書。
【考案の詳細な説明】
【技術分野】
【０００１】
本考案は、決算期の途中月で、その後に特別な決算対策をしない場合における当期の法人の予測税金額と、決算対策をした場合の当期の法人の予測税金額とを比較して表示する決算予測シミュレーション書に関する。
【背景技術】
【０００２】
法人は、決算期の途中で、当期の課税対象額を予測しながら、様々な決算対策を行うことが多い。
ところで、決算期の途中で、当期の課税対象額の予測額を表示し、その後に特別な決算対策を行った場合の決算対策の効果を一目で把握できるシートがあると、適切な決算対策を行いやすく、便利である。
【考案の概要】
【考案が解決しようとする課題】
【０００３】
しかしながら、従来では、そのようなシートは知られていない。
【０００４】
本考案は、前述した問題点に鑑みてなされ、決算期の途中月で、その後に特別な決算対策をしない場合における当期の法人の予測税金額と、決算対策をした場合の当期の法人の予測税金額とを比較して表示する決算予測シミュレーション書を提供することを目的とする。
【課題を解決するための手段】
【０００５】
上述した従来技術の問題点を解決し、上述した目的を達成するために、本考案の決算予測シミュレーション書は、決算対象の当期の指定された途中月までの実績の税引前当期利益の額が表示される途中税引前当期利益欄［ａ２１］と、当期の残存期間の予測実績の税引前当期利益の額が表示される残存期間税引前当期利益欄［ａ４１］と、決算整理額の加算額を表示する決算整理加算額欄［ｂ２７］と、決算整理額の減算額を表示する決算整理減算額欄［ｃ２７］と、税務上調整する加算額を表示する税務調整加算額欄［ｄ２６］と、税務上調整する減算額を表示する税務調整減算額欄［ｅ２６］と、課税対象額を表示する課税対象額欄［ｆ１］と、前記課税対象額に基づいた対策前税金を表示する対策前税金欄［ｆ２］〜［ｆ５］と、決算対策の額を表示する決算対策額欄［ｊ１］と、前記決算対策額を考慮した対策後課税対象額を表示する対策後税金欄［ｋ１］と、前記対策後課税対象額に基づいた対策後税金を表示する対策後税金欄［ｋ２］〜［ｋ５］とを有する。
【０００６】
好適には、本考案の決算予測シミュレーション書の前記決算対策欄［ｊ１］は、決算対策に関する予め決められた複数の項目と、その項目に関する対策額を記入する対策額欄［ｇ１］〜［ｇ４４］を有し、前記決算対策額欄［ｊ１］には、前記対策額欄［ｇ１］〜［ｇ４４］に記入された額の総額が表示されている。
【０００７】
好適には、本考案の決算予測シミュレーション書は、当期の指定された途中月までの実績の売上高、売上原価、売上総利益、販売管理費（販売費及び一般管理費）、営業利益、営業外収入、営業外費用、経常利益、特別利益、特別損失の額がそれぞれ表示される欄［ａ１１］〜［ａ２０］と、当期の残存期間の予測実績の売上高、売上原価、売上総利益、販売管理費（販売費及び一般管理費）、営業利益、営業外収入、営業外費用、経常利益、特別利益、特別損失の額がそれぞれ表示される欄［ａ３１］〜［ａ４０］と、当当期の指定された途中月までの実績と、当期の残存期間の予測実績との合計の売上高、売上原価、売上総利益、販売管理費（販売費及び一般管理費）、営業利益、営業外収入、営業外費用、経常利益、特別利益、特別損失の額がそれぞれ表示される欄［ａ５１］〜［ａ６０］と、  当期の指定された途中月までの実績と、当期の残存期間の予測実績との合計の税引き前当期利益の額が表示される税引前当期利益欄［ａ６１］と、前記対策前税金と前記対策後税金の差額を表示する欄［ｍ３］とを有する。
【考案の効果】
【０００８】
本考案によれば、決算期の途中月で、その後に特別な決算対策をしない場合における当期の法人の予測税金額と、決算対策をした場合の当期の法人の予測税金額とを比較して表示する決算予測シミュレーション書を提供することができる。
【図面の簡単な説明】
【０００９】
【図１】図１は、本考案の実施形態に係る決算予測シミュレーション書の正面図である。
【図２】図２は、図１に示す決算予測シミュレーション書を説明するための図である。
【図３】図３は、図２に示すモジュールＭ１０を説明するための図である。
【図４】図４は、図１に示すモジュールＭ５の項目を手入力する欄を説明するための図である。
【考案を実施するための最良の形態】
【００１０】
以下、本考案の実施形態に係る決算予測シミュレーション書を、図面を参照しながら説明する。
図１は、本考案の実施形態に係る決算予測シミュレーション書１の正面図である。
図２は、図１に示す決算予測シミュレーション書１を説明するための図である。
図１に示すように、決算予測シミュレーション書１は、例えば、モジュールＭ１〜Ｍ８によって構成される。
決算予測シミュレーション書１は、決算期の途中月で、その後に特別な決算対策をしない場合における当期の法人の予測税金額と、決算対策をした場合の当期の法人の予測税金額とを比較して表示するものである。
以下、各モジュールの表示を詳細に説明する。
【００１１】
［モジュールＭ１］
モジュールＭ１には、予測損益計算書に対応する項目が表示される。
モジュールＭ１は、当期の指定された途中月（ｘ月）までの実績の売上高、売上原価、売上総利益、販売管理費（販売費及び一般管理費）、営業利益、営業外収入、営業外費用、経常利益、特別利益、特別損失の額がそれぞれ表示される欄［ａ１１］〜［ａ２０］と、当期の指定された途中月までの実績の税引き前当期利益の額が表示される途中税引前当期利益欄［ａ２１］とを有する。
また、モジュールＭ１は、当期の残存期間の予測実績の売上高、売上原価、売上総利益、販売管理費（販売費及び一般管理費）、営業利益、営業外収入、営業外費用、経常利益、特別利益、特別損失の額がそれぞれ表示される欄［ａ３１］〜［ａ４０］と、当期の残存期間の予測実績の税引き前当期利益の額が表示される残存期間税引前当期利益欄［ａ４１］とを有する。
【００１２】
また、モジュールＭ１は、当期の指定された途中月までの実績と、当期の残存期間の予測実績との合計の売上高、売上原価、売上総利益、販売管理費（販売費及び一般管理費）、営業利益、営業外収入、営業外費用、経常利益、特別利益、特別損失の額がそれぞれ表示される欄［ａ５１］〜［ａ６０］を有する。
また、モジュールＭ１は、当期の指定された途中月までの実績と、当期の残存期間の予測実績との合計の税引き前当期利益の額が表示される税引前当期利益欄［ａ６１］を有する。
【００１３】
ここで、決算予測シミュレーション書１がエクセルシート等を用いて作成される場合に、欄［ａ１１］，［ａ１２］，［ａ１４］，［ａ１６］，［ａ１７］，［ａ１９］，［ａ２０］，［ａ５１］，［ａ５２］，［ａ５４］，［ａ５６］，［ａ５７］，［ａ５９］，［ａ６０］にはユーザによって額が記入（入力）される。
また、欄［ａ１３］，［ａ１５］，［ａ１８］，［ａ２１］，［ａ３３］，［ａ３５］，［ａ３８］，［ａ４１］，［ａ５３］，［ａ５５］，［ａ５８］，［ａ６１］には、上記ユーザによって各欄に入力された額、あるいは他のシートの所定の欄に入力された額に基づいて自動計算、あるいは取得される。
なお、欄［ａ３１］〜［ａ４０］の額は、上記途中月ｘの月数と、欄［ａ１１］〜［ａ２０］に記入された額に基づいて、自動計算されてもよいし、あるいは、図２に示すモジュールＭ１０の欄［ａ７１］，［ａ７２］，［ａ７４］，［ａ７６］，［ａ７７］，［ａ７９］，［ａ８０］にユーザによって入力された額を表示するようにしてもよい。
【００１４】
［モジュールＭ２］
モジュールＭ２は、決算整理額（減価償却、債権債務の洗替え等）の項目が表示される。
モジュールＭ２は、決算整理額の加算額内容を入力する欄［ｂ１１］〜［ｂ１６］と、その加算額内容に対応した加算額を入力する欄［ｂ２１］〜［ｂ２６］と、加算額の合計額を表示する決算整理加算額欄［ｂ２７］とを有する。
また、モジュールＭ２は、決算整理額の減算額内容を入力する欄［ｃ１１］〜［ｃ１６］と、その減算額内容に対応した減算額を入力する欄［ｃ２１］〜［ｃ２６］と、減算額の合計額を表示する決算整理減算額欄［ｃ２７］とを有する。
また、モジュールＭ２は、上記加算額の合計と、上記減算額の合計との合計額を表示する欄［ｃ２８］と、決算整理後の税引前当期利益を表示する欄［ｃ２９］とを有する。
【００１５】
ここで、決算予測シミュレーション書１がエクセルシート等を用いて作成される場合に、欄［ｂ１１］〜［ｂ１６］，［ｂ２１］〜［ｂ２６］，［ｃ１１］〜［ｃ１６］，［ｃ２１］〜［ｃ２６］にはユーザによって項目内容および額が記入（入力）される。
また、欄［ｂ２７］，［ｃ２７］，［ｃ２８］，［ｃ２９］には、上記ユーザによって各欄に入力された額、あるいは他のシートの所定の欄に入力された額に基づいて自動計算、あるいは取得される。
【００１６】
［モジュールＭ３］
モジュールＭ３は、税務上の調整額の項目が表示される。
モジュールＭ３は、税務上の調整額の加算額内容を入力する欄［ｄ１１］〜［ｄ１５と、その加算額内容に対応した加算額を入力する欄［ｄ２１］〜［ｄ２５］と、加算額の合計額を表示する税務調整加算額欄［ｄ２６］とを有する。
また、モジュールＭ３は、税務上の調整額の減算額内容を入力する欄［ｅ１１］〜［ｅ１５］と、その減算額内容に対応した減算額を入力する欄［ｅ２１］〜［ｅ２５］と、減算額の合計額を表示する税務調整減算額欄［ｅ２６］とを有する。
また、モジュールＭ２は、上記加算額の合計と、上記減算額の合計との合計額を表示する欄［ｅ２７］を有する。
【００１７】
ここで、決算予測シミュレーション書１がエクセルシート等を用いて作成される場合に、欄［ｄ１１］〜［ｄ１５］，［ｄ２１］〜［ｄ２５］，［ｅ１１］〜［ｅ１５］，［ｅ２１］〜［ｅ２５］にはユーザによって額が記入（入力）される。
また、欄［ｄ２６］，［ｅ２６］，［ｅ２７］には、上記ユーザによって各欄に入力された額、あるいは他のシートの所定の欄に入力された額に基づいて自動計算、あるいは取得される。
【００１８】
［モジュールＭ４］
モジュールＭ４は、課税対象額、納税額（中間納税控除後）の項目が表示される。
モジュールＭ４は、課税対象額を表示する課税対象額欄［ｆ１］と、当該課税対象額に基づいた対策前の法人税、住民税、事業税、それらの合計額をそれぞれ表示する税金を表示する対策前税金欄［ｆ２］〜［ｆ５］を有する。
課税対象額欄［ｆ１］には、欄［ｃ２９］，［ｅ２７］に表示される額に基づいて計算される課税対象額が表示される。
【００１９】
ここで、決算予測シミュレーション書１がエクセルシート等を用いて作成される場合に、欄［ｆ１］〜［ｆ５］に表示あれる額は、上記ユーザによって各欄に入力された額、あるいは他のシートの所定の欄に入力された額に基づいて自動計算、あるいは取得される。
【００２０】
［モジュールＭ５］
モジュールＭ５は、決算対策（生命保険、決算賞与等）の項目が表示される。
モジュールＭ５は、決算対策の内容を表示する欄［ｇ１］〜と、それに対応した金額を入力する欄［ｈ１］〜と、それらの金額の合計額を示す欄［ｊ１］とを有する。
【００２１】
例えば、図４に示すモジュールＭ１１のように、決算対策の内容が予め表示され、それに対応する金額を欄［ｇ１］〜［ｇ４４］にユーザが入力するようにしてもよい。
この場合には、モジュールＭ５の合計額を示す欄［ｊ１］と、モジュールＭ１１の欄［ｇ４５］には、欄［ｇ１］〜［ｇ４４］に入力された額の合計額が表示される。
なお、モジュールＭ１１に表示される決算対策の内容は、予め経験豊富な税理士によって選択される。
【００２２】
［モジュールＭ６］
モジュールＭ６には、決算対策後の課税対象額、納税額（中間納税控除後）の項目が表示される。
モジュールＭ６は、対策後の課税対象額を表示する欄［ｋ１］と、それに応じた法人税、住民税、事業税、それらの合計額をそれぞれ表示する欄［ｋ２］〜［ｋ５］を有する。
ここで、決算予測シミュレーション書１がエクセルシート等を用いて作成される場合に、欄［ｋ１］〜［ｋ５］に表示あれる額は、上記ユーザによって各欄に入力された額、あるいは他のシートの所定の欄に入力された額に基づいて自動計算、あるいは取得される。
【００２３】
［モジュールＭ７］
モジュールＭ７は、対策前と対策後の納税額の比較を示す項目が表示される。
モジュールＭ７は、対策前の納税額を表示する欄［ｍ１］と、対策後の納税額を表示する欄［ｍ２］と、それらの差額を表示する欄［ｍ３］とを有する。
ここで、決算予測シミュレーション書１がエクセルシート等を用いて作成される場合に、欄［ｍ１］〜［ｍ３］に表示される額は、上記ユーザによって各欄に入力された額、あるいは他のシートの所定の欄に入力された額に基づいて自動計算、あるいは取得される。
【００２４】
［モジュールＭ８］
モジュールＭ８には、テキスト形式でユーザのコメントが表示される。
【００２５】
上述したように、本実施形態の決算予測シミュレーション書１によれば、決算期の途中月ｘで、その後に特別な決算対策をしない場合における当期の法人の予測税金額と、決算対策をした場合の当期の法人の予測税金額とを１シートに表示することができる。
そのため、ユーザは、今後行う決算対策が当期の法人の税金額にどのように反映されるかを容易に把握することができ、より適切な決算対策を行うことができる。
【００２６】
また、本実施形態の決算予測シミュレーション書１によれば、図４に示すモジュールＭ１１のように、例えば経験豊富な税理士が選択した決算対策の内容が予め表示され、それに対応する金額を欄［ｇ１］〜［ｇ４４］にユーザが入力することで、決算対策をした場合のシミュレーションができる。そのため、決算対策の知識（経験）が少ないユーザでも、適切な決算対策を検討することができる。
【００２７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態の決算予測シミュレーション書１の各項目の欄の配置は任意であり、適宜変更可能である。
【産業上の利用可能性】
【００２８】
本考案は、例えば、決算対策の決算への効果を容易に把握できる決算予測シミュレーション書に適用可能である。
【符号の説明】
【００２９】
１…決算予測シミュレーション書
【図１】
0003167611.tif 000003
【図２】
0003167611.tif 000004
【図３】
0003167611.tif 000005
【図４】
0003167611.tif 000006
【手続補正書】
【提出日】平成23年2月24日(2011.2.24)
【手続補正１】
【補正対象書類名】実用新案登録請求の範囲
【補正対象項目名】全文
【補正方法】変更
【補正の内容】
【実用新案登録請求の範囲】
【請求項１】
決算対象の当期の指定された途中月までの実績の税引前当期利益の額が表示される途中税引前当期利益欄［ａ２１］と、当該途中税引前当期利益欄［ａ２１］の右側に形成され、当期の残存期間の予測実績の税引前当期利益の額が表示される残存期間税引前当期利益欄［ａ４１］とが形成された領域と、
決算整理額の加算額を表示する決算整理加算額欄［ｂ２７］と、
決算整理額の減算額を表示する決算整理減算額欄［ｃ２７］と、
税務上調整する加算額を表示する税務調整加算額欄［ｄ２６］と、
税務上調整する減算額を表示する税務調整減算額欄［ｅ２６］と、
課税対象額を表示する課税対象額欄［ｆ１］と、
前記課税対象額に基づいた対策前税金を表示する対策前税金欄［ｆ２］〜［ｆ５］と
が左側領域内の上方から下方に向けて順に形成されており、
決算対策の額を表示する決算対策額欄［ｊ１］と、
前記決算対策額を考慮した対策後課税対象額を表示する対策後税金欄［ｋ１］と、
前記対策後課税対象額に基づいた対策後税金を表示する対策後税金欄［ｋ２］〜［ｋ５］と
が右側領域内の上方から下方に向けて順に形成されている
決算予測シミュレーション書。
【請求項２】
前記決算対策欄［ｊ１］は、
上方から下方に向けて順に形成された決算対策に関する予め決められた複数の項目と、
当該項目の右側に形成され、当該項目に関する対策額を記入する対策額欄［ｇ１］〜［ｇ４４］と、
前記対策額欄［ｇ４４］の下方に形成され、前記対策額欄［ｇ１］〜［ｇ４４］に記入された額の総額が表示されている欄［ｇ４５］と
を有する
請求項１に記載の決算予測シミュレーション書。
【請求項３】
前記途中税引前当期利益欄［ａ２１］の上方に形成され、当期の指定された途中月までの実績の売上高、売上原価、売上総利益、販売管理費（販売費及び一般管理費）、営業利益、営業外収入、営業外費用、経常利益、特別利益、特別損失の額がそれぞれ表示される欄［ａ１１］〜［ａ２０］と、
前記残存期間税引前当期利益欄［ａ４１］の上方に形成され、当期の残存期間の予測実績の売上高、売上原価、売上総利益、販売管理費（販売費及び一般管理費）、営業利益、営業外収入、営業外費用、経常利益、特別利益、特別損失の額がそれぞれ表示される欄［ａ３１］〜［ａ４０］と、
前記欄［ａ３１］〜［ａ４０］の右側に形成され、当期の指定された途中月までの実績と、当期の残存期間の予測実績との合計の売上高、売上原価、売上総利益、販売管理費（販売費及び一般管理費）、営業利益、営業外収入、営業外費用、経常利益、特別利益、特別損失の額がそれぞれ表示される欄［ａ５１］〜［ａ６０］と、
前記欄［ａ６０］の下方に形成され、当期の指定された途中月までの実績と、当期の残存期間の予測実績との合計の税引き前当期利益の額が表示される税引前当期利益欄［ａ６１］と、
前記対策後税金欄［ｋ５］の下方に形成され、前記対策前税金と前記対策後税金の差額を表示する欄［ｍ３］と
を有する請求項２に記載の決算予測シミュレーション書。
【手続補正２】
【補正対象書類名】明細書
【補正対象項目名】０００５
【補正方法】変更
【補正の内容】
【０００５】
上述した従来技術の問題点を解決し、上述した目的を達成するために、本考案の決算予測シミュレーション書は、  決算対象の当期の指定された途中月までの実績の税引前当期利益の額が表示される途中税引前当期利益欄［ａ２１］と、当該途中税引前当期利益欄［ａ２１］の右側に形成され、当期の残存期間の予測実績の税引前当期利益の額が表示される残存期間税引前当期利益欄［ａ４１］とが形成された領域と、決算整理額の加算額を表示する決算整理加算額欄［ｂ２７］と、決算整理額の減算額を表示する決算整理減算額欄［ｃ２７］と、税務上調整する加算額を表示する税務調整加算額欄［ｄ２６］と、税務上調整する減算額を表示する税務調整減算額欄［ｅ２６］と、課税対象額を表示する課税対象額欄［ｆ１］と、前記課税対象額に基づいた対策前税金を表示する対策前税金欄［ｆ２］〜［ｆ５］とが左側領域内の上方から下方に向けて順に形成されており、決算対策の額を表示する決算対策額欄［ｊ１］と、前記決算対策額を考慮した対策後課税対象額を表示する対策後税金欄［ｋ１］と、前記対策後課税対象額に基づいた対策後税金を表示する対策後税金欄［ｋ２］〜［ｋ５］とが右側領域内の上方から下方に向けて順に形成されている。
【手続補正３】
【補正対象書類名】明細書
【補正対象項目名】０００６
【補正方法】変更
【補正の内容】
【０００６】
好適には、本考案の決算予測シミュレーション書の前記決算対策欄［ｊ１］は、上方から下方に向けて順に形成された決算対策に関する予め決められた複数の項目と、当該項目の右側に形成され、当該項目に関する対策額を記入する対策額欄［ｇ１］〜［ｇ４４］と、前記対策額欄［ｇ４４］の下方に形成され、前記対策額欄［ｇ１］〜［ｇ４４］に記入された額の総額が表示されている欄［ｇ４５］とを有する。
【手続補正４】
【補正対象書類名】明細書
【補正対象項目名】０００７
【補正方法】変更
【補正の内容】
【０００７】
好適には、本考案の決算予測シミュレーション書は、前記途中税引前当期利益欄［ａ２１］の上方に形成され、当期の指定された途中月までの実績の売上高、売上原価、売上総利益、販売管理費（販売費及び一般管理費）、営業利益、営業外収入、営業外費用、経常利益、特別利益、特別損失の額がそれぞれ表示される欄［ａ１１］〜［ａ２０］と、前記残存期間税引前当期利益欄［ａ４１］の上方に形成され、当期の残存期間の予測実績の売上高、売上原価、売上総利益、販売管理費（販売費及び一般管理費）、営業利益、営業外収入、営業外費用、経常利益、特別利益、特別損失の額がそれぞれ表示される欄［ａ３１］〜［ａ４０］と、前記欄［ａ３１］〜［ａ４０］の右側に形成され、当期の指定された途中月までの実績と、当期の残存期間の予測実績との合計の売上高、売上原価、売上総利益、販売管理費（販売費及び一般管理費）、営業利益、営業外収入、営業外費用、経常利益、特別利益、特別損失の額がそれぞれ表示される欄［ａ５１］〜［ａ６０］と、前記欄［ａ６０］の下方に形成され、当期の指定された途中月までの実績と、当期の残存期間の予測実績との合計の税引き前当期利益の額が表示される税引前当期利益欄［ａ６１］と、前記対策後税金欄［ｋ５］の下方に形成され、前記対策前税金と前記対策後税金の差額を表示する欄［ｍ３］とを有する。